(57)【要約】【課題】複合機能装置が導入された際に、既に導入されている複合機能装置の機器情報を、該導入された複合機能装置に設定することで、導入時の煩わしい設定処理を軽減することができる複合機能装置システムを提供する。【解決手段】ネットワークに接続された複数の複合機能装置のそれぞれは、該複合機能装置に設定された機器情報を反映させる反映先の複合機能装置を指定し、この指定された反映先の複合機能装置に機器情報を送信する。反映先の複合機能装置はこの送信された機器情報を反映することができる。また、複数の複合機能装置のそれぞれは、複合機能装置が別の複合機能装置から送信された機器情報を受信し、この受信した機器情報を複合機能装置に反映する。【選択図】      図１
2004153639.tif 000002
【特許請求の範囲】
【請求項１】
複数の複合機能装置が互いにネットワークを介して接続される複合機能装置システムにおいて、
前記複合機能装置のそれぞれは、該複合機能装置に設定された機器情報を反映させる反映先の複合機能装置を指定する第１反映先指定手段と、
前記反映先指定手段により指定された反映先の複合機能装置に前記機器情報を送信する機器情報送信手段と、
前記複合機能装置とは別の複合機能装置から送信された機器情報を受信する機器情報受信手段と、
前記機器情報受信手段により受信した機器情報を前記複合機能装置に反映する機器情報反映手段と
を備えることを特徴とする複合機能装置システム。
【発明の詳細な説明】
【０００１】
【発明の属する技術分野】
本発明は、ネットワーク上に接続される複合機能装置において、所有している機器情報を他の複合機能装置に、自動的もしくは手動指示により一括して設定する複合機能装置システムに関する。
【０００２】
【従来の技術】
近年、複合機能装置はネットワークに接続することは一般的となり、印刷はもちろんファクスやスキャナ等もパーソナルコンピュータなどからネットワーク経由で利用されるようになった。
【０００３】
このため複合機能装置での機能増加に伴い、導入時や環境変更等の時には設定が必要な機器情報も多くなり、パーソナルコンピュータ等から、個々の複合機能装置に設定を行う方法が導入されている。
【０００４】
【発明が解決しようとする課題】
しかしながら、上記複合機能装置の導入等で設定が必要な場合は、パーソナルコンピュータからの操作や複合機能装置のパネル操作を直接操作する必要があり、複合機能装置を導入するたびに全ての情報を設定する作業が発生してしまう問題点があった。
【０００５】
本発明は、上記の問題点を解消するためになされたもので、複合機能装置が導入された際に、既に導入されている複合機能装置の機器情報を、該導入された複合機能装置に設定することで、導入時の煩わしい設定処理を軽減することができる複合機能装置システムを提供することを目的とする。
【０００６】
【課題を解決するための手段】
上記目的を達成するために、請求項１に記載の複合機能装置システムは、複数の複合機能装置が互いにネットワークを介して接続される複合機能装置システムにおいて、前記複合機能装置のそれぞれは、該複合機能装置に設定された機器情報を反映させる反映先の複合機能装置を指定する第１反映先指定手段と、前記反映先指定手段により指定された反映先の複合機能装置に前記機器情報を送信する機器情報送信手段と、前記複合機能装置とは別の複合機能装置から送信された機器情報を受信する機器情報受信手段と、前記機器情報受信手段により受信した機器情報を前記複合機能装置に反映する機器情報反映手段とを備えることを特徴とする。
【０００７】
【発明の実施の形態】
以下、本発明の実施の形態について図面を参照して説明する。
【０００８】
図１は、本実施の形態に係る、機器情報の共有機能を有する複合機能装置システムを構成する複合機能装置及びパーソナルコンピュータの構成を示すブロック図である。
【０００９】
同図において、符号１０はローカルエリアネットワーク（ＬＡＮ）を示し、パーソナルコンピュータ２０及び複合機能装置３０ａ，３０ｂがこのＬＡＮ１０に接続されている。
【００１０】
パーソナルコンピュータ２０では、ＬＡＮ１０上の複合機能装置３０ａ，３０ｂとデータの通信を行うインターフェイス２１と、インターフェイス２１を介し複合機能装置３０ａ，３０ｂのＷｅｂサービスを経由して、機器情報の設定元及び設定先や機器情報の設定指示等の機器情報の共有設定処理を行うＷｅｂブラウザ２２とから構成される。インターフェイス２１はＬＡＮ１０に接続された機器と情報の送受信を行うためのものであり、Ｗｅｂブラウザ２２は一般的に使用されるブラウザであり、特に限定するものではない。パーソナルコンピュータ２０は、複合機能装置３０ａ、３０ｂに対する印刷利用機能、スキャナ利用機能、又はファクス利用機能等を有していてもよい。パーソナルコンピュータ２０は、一般に汎用されているコンピュータであるため、図示しないＣＰＵ、ＲＡＭ、ＲＯＭ、ハードディスク、モニター、マウスやキーボート等の入力手段等を備えている。パーソナルコンピュータ２０のＣＰＵは、Ｗｅｂブラウザ２２で設定された情報を複合機能装置３０ａ，３０ｂに送信することができ、複合機能装置３０ａ，３０ｂはこの情報に基づいて機器情報等の変更や更新が可能である。
【００１１】
次に、複合機能装置３０ａはＬＡＮ１０に接続しており、ＬＡＮ１０上のパーソナルコンピュータ２０や複合機能装置３０ｂとの通信を行うインターフェイス３１と、パーソナルコンピュータ２０や複合機能装置３０ｂなどのＷｅｂブラウザやＷｅｂアクセスからの要求に対して、機器情報の設定、機器情報の設定先の複合機能装置の指定、設定先の複合機能装置への設定指示、機器情報の公開など様々な設定サービスを提供するＷｅｂサービス３２と、ＬＡＮ１０上の他の機器からの機能操作等の機器情報を受信する情報受信部３３と、ＬＡＮ１０上の他の機器に対して機能操作等の機器情報を送信する情報送信部３４と、複合機能装置３０ａ自体での操作を提供するパネル操作部３５と、複合機能装置３０ａ全体の制御（本発明の情報機器の共有化処理の各手段もここで制御される）を行う制御部３６と、Ｗｅｂサービス３２で扱う情報、機器情報、設定先の複合機能装置及び設定方法等の様々な情報を記憶する情報記憶部３７と、印刷やファクス、スキャナ等の画像情報を操作するイメージメモリなどを保持するメモリ３８と、スキャナ処理を行うリーダ部３９と、ファクスの送受信を行うファクス部４０と、印字処理を行う印刷部４１とから構成される。
【００１２】
インターフェイス３１は、ＬＡＮ１０に接続された機器と情報の送受信を行うためのものである。Ｗｅｂサービス３２は、例えばパーソナルコンピュータ２０内のＷｅｂブラウザ２２等から複合機能装置３０ａが所有する機器情報の設定／更新や、他の複合機能装置に対して機器情報を共有する際の設定指示や機器情報の分類、さらには設定方法等のＷｅｂ情報を提供したり、他の複合機能装置からの機器情報の設定要求等を処理するものであり、ここで登録／設定や設定要求された各情報は制御部３６を経由して情報記憶部３７に保持される。
【００１３】
情報受信部３３は、複合機能装置３０ａが所有する各機能への操作指示を受信し、制御部３６に渡す処理を行う。このとき制御部３６は、受信した操作指示に従い情報を情報記憶部３７に保持したり、メモリ３８を利用して、リーダ部３９、ファクス部４０又は印刷部４１等への指示を行う。情報送信部３４は、前記情報受信部３３が受信した操作指示に対する制御部３６からの応答を返したり、パネル操作部３５での操作によってＬＡＮ１０上の他の機器へ情報を送信する処理を行う。
【００１４】
パネル操作部３５は、複合機能装置３０ａ内の各機能部、即ちリーダ部３９、ファクス部４０又は印刷部４１に対する操作や、情報記憶部３７に記憶されている情報に対する設定／更新や他の複合機能装置への設定指示、さらには表示処理を制御部３６を経由して行う。制御部３６は、複合機能装置３０ａ内の各部分と連携して複合機能装置３０ａ全体の動作を司る部分である。機器情報の設定や複合機能装置間での共有化に関する情報設定は、情報記憶部３７に記憶されている情報を用いて本制御部３６が行う。情報記憶部３７は、制御部３６から読み書きされるものであり、機器情報の設定や複合機能装置間での共有化に関する情報設定情報や、また様々な複合機能装置３０ａ内の情報を記憶する部分である。メモリ３８は、情報受信部３３において受信した情報や各機能部、即ちリーダ部３９、ファクス部４０、又は印刷部４１で扱うイメージデータ等を扱う際に制御部３６により制御される。
【００１５】
リーダ部３９は、ＬＡＮ１０上の他の機器からのスキャン指示やパネル操作部３５からのスキャン操作指示に対して画像を読み取る処理を行う。ファクス部４０は、ＬＡＮ１０上の他の機器からのファクス情報の操作指示やパネル操作部３５からのファクス送信指示、さらには外部から届くファクス情報の受信処理等を行う。印刷部４１は、情報受信部３３が受信したＬＡＮ１０上の機器からの印刷指示や、パネル操作部３５からの印刷／コピー等の指示に従って印刷出力を行う。
【００１６】
ＬＡＮ１０に接続されている複合機能装置３０ｂは、上述した複合機能装置３０ａと同様の構成となる。
【００１７】
図２は、図１におけるパーソナルコンピュータ２０内のＷｅｂブラウザ２２を起動した際のＷｅｂブラウザ２２の表示例を示す図である。
【００１８】
パーソナルコンピュータ２０内のＷｅｂブラウザ２２の立ち上げ命令が実行されると、パーソナルコンピュータ２０はＷｅｂブラウザ２２を起動する。ここで、複合機能装置３０ａにおけるＷｅｂサービス３２のアドレス（例えば、ｈｔｔｐ：／／ｐｒｉｎｔｅｒ１／ＷｅｂＳｅｒｖｉｃｅ／）が指定されると、パーソナルコンピュータ２０の図示しないモニターに図２で示す画面が表示される。
【００１９】
同図において、符号２０１〜２０４は、複合機能装置３０ａにおいて機器情報に変更があった際に、変更内容を設定する他の複合機能装置を指定するコントロール群であり、符号２０１は、登録する設定先の複合機能装置を編集する編集ボックスであり、符号２０２は編集ボックス２０１で編集された設定先の複合機能装置をリストボックス２０３に登録するボタンである。リストボックス２０３には、機器情報に変更があった際に機器情報を設定する複合機能装置が登録されている。符号２０４は、リストボックス２０３に登録されている複合機能装置を削除する削除ボタンである。このコントロール群２０１〜２０４によって、最終的にリストボックス２０３に登録されているものが設定先の複合機能装置となる。
【００２０】
一方、符号２０５〜２０９は、機器情報に変更があった場合に、設定先の複合機能装置に反映させる機器情報を選択するコントロール群である。符号２０５は全ての機器情報か、又は指定した機器情報かを選択するラジオボタンであり、もし「指定」が選択された場合には、コントロール群２０６〜２０９によってリストボックス２０８に指定される機器情報が設定可能となる。
【００２１】
コントロール群２０６〜２０９については、前記コントロール群２０１〜２０４と同様であり、その説明を省略する。
【００２２】
また、リストボックス２０８に記載される機器情報の種類や、ラジオボタン２０５において「全て」が選択された場合の設定を行う機器情報の種類は、本発明では特に限定するものではない。
【００２３】
パーソナルコンピュータ２０は、設定ボタン２１０が押下されることにより、前記コントロール群２０１〜２０９に関する設定を複合機能装置３０ａに反映させる処理を行う。これにより、Ｗｅｂブラウザ２２に現在表示されている情報が複合機能装置３０ａのＷｅｂサービス３２に送信される。これら情報はＷｅｂサービス３２が取得し、制御部３６を経由して情報記憶部３７に更新保持される。このように、本Ｗｅｂサービスを用いると、機器情報の共有における設定先の複合機能装置の設定や機器情報の各設定を行うことが可能となる。但し、上述した図２に示すＷｅｂブラウザ２２での設定方法はあくまで例であり、特に限定するものではない。
【００２４】
また、これらの設定は、複合機能装置３０ａ内のパネル操作部３５から単独操作を行っても同様の情報設定を実現することができる。
【００２５】
図３は、機器情報の共有機能を有する複合機能装置システムに対して、他の複合機能装置に対する機器情報の設定指示があった場合の処理工程を示すフローチャートである。
【００２６】
但し、Ｗｅｂサービス３２による機器情報の共有設定に関しては、既に説明したので省略する。
【００２７】
まず、ステップＳ３０１において、複合機能装置３０ａに対して、他の複合機能装置への機器情報の設定指示がなされたか否かを制御部３６により判断する。但し、この指示に関しては、ＬＡＮ１０上の他のパーソナルコンピュータから、例えばＷｅｂサービス３２を経由して指示でもよく、また複合機能装置３０ａ内のパネル操作部３５からの指示でもよく、ここでは特に限定するものではない。
【００２８】
このステップＳ３０１の判断処理において、他の複合機能装置への機器情報の設定指示がなかった場合は、本処理を終了する。一方、他の複合機能装置への機器情報の設定指示があった場合は、上述した図２のコントロール群２０５〜２０９において設定した、他の複合機能装置へ設定する機器情報を取得する（ステップＳ３０２）。
【００２９】
次いで、制御部３６は、図２で示したリストボックス２０３に登録されている設定先となる複合機能装置の総数Ｎを取得し（ステップＳ３０３）、情報記憶部３７に登録されているループ変数Ｃを１に初期化する（ステップＳ３０４）。ループ変数Ｃは、設定先となる全ての複合機能装置に、ステップＳ３０２で取得した自装置の機器情報を設定するために導入される変数である。
【００３０】
次に、制御部３６は、ループ変数Ｃが設定先の複合機能装置の総数Ｎよりも大きいか否かを判別し（ステップＳ３０５）、ループ変数Ｃが設定先の複合機能装置の総数Ｎ以下である場合は、ループ変数Ｃを１増やす処理を行い（ステップＳ３０６）、Ｃ番目の設定先の複合機能装置に対して、ステップＳ３０２で取得した自装置の機器情報を設定し（ステップＳ３０７）、ステップＳ３０５に戻り、次の設定先の複合機能装置に対してループ処理（ステップＳ３０５〜ステップＳ３０７の処理）を行う。
【００３１】
ステップＳ３０５の判別の結果、ループ変数Ｃが設定先の複合機能装置の総数Ｎより大きい場合には、ループ処理を終了し、本処理を終了する。
【００３２】
以上の処理が、機器情報の共有機能を有する複合機能装置システムにおいて、他の複合機能装置に対する設定指示があった場合の処理動作である。本処理によって、図２に示すＷｅｂブラウザ２２での設定先の複合機能装置の設定や機器情報の各設定が反映されることになる。
【００３３】
図４は、複合機能装置３０ａにおける機器情報の変更内容を他の複合機能装置に対して設定するためのタイミングを決める際のＷｅｂブラウザ２２の表示例を示す図である。
【００３４】
パーソナルコンピュータ２０内のＷｅｂブラウザ２２の立ち上げ命令が実行されると、パーソナルコンピュータ２０はＷｅｂブラウザ２２を起動する。ここで、複合機能装置３０ａにおけるＷｅｂサービス３２のアドレス（例えば、ｈｔｔｐ：／／ｐｒｉｎｔｅｒ１／ＷｅｂＳｅｒｖｉｃｅ１／）が指定されると、パーソナルコンピュータ２０の図示しないモニターに図４で示す画面が表示される。
【００３５】
同図において、符号４０１〜４０４は、複合機能装置３０ａにおいて機器情報に変更があった際に、変更内容をどのようなタイミングで他の複合機能装置に対して設定するかを設定するコントロール群である。
【００３６】
符号４０１は、複合機能装置３０ａにおいて機器情報の変更があった際に、自動的に機器情報の設定を行うラジオボタンである。符号４０２は、変更があった場合に他の複合機能装置に対して通知だけを行う処理を行うラジオボタンである。本処理に関しては後述図６，７にて詳細に説明する。符号４０３は、他のパーソナルコンピュータ又はパネル操作部３５からの指示によって設定を行うラジオボタンである。最後に、符号４０４は一切設定を行わないコントロールである。符号４０１〜４０４のいずれかを選択し、最後に設定ボタン４０５を押下することにより、現在表示されている情報が複合機能装置３０ａのＷｅｂサービス３２に送信される。これら情報はＷｅｂサービス３２が取得し、制御部３６を経由して情報記憶部３７に更新保持される。このように、本Ｗｅｂサービス３２を用いると、他の複合機能装置に対する機器情報の設定タイミングを設定することが可能となる。但し、上述した図４に示すＷｅｂブラウザ２２での設定方法はあくまで例であり、特に限定するものではない。
【００３７】
また、これらの設定は、複合機能装置３０ａ内のパネル操作部３５から単独操作を行っても同様の情報設定を実現することができる。
【００３８】
図５は、機器情報の共有機能を有する複合機能装置システムに対して、他の複合機能装置に対する機器情報の設定タイミングの指定処理を示すフローチャートである。
【００３９】
但し、Ｗｅｂサービス３２による機器情報の設定タイミングに関しては前記図４にて説明したので省略する。
【００４０】
まず、ステップＳ５０１において、制御部３６は機器情報が何らかの設定処理によって変更されたか否かを判別する。ステップＳ５０１の判別の結果、機器情報が変更されていない場合には、本処理を終了する一方、機器情報が変更された場合には、前記図４で示した設定が、ラジオボタン４０１（複合機能装置３０ａにおいて機器情報の変更があった際に、自動的に機器情報の設定を行う設定）であるか否かを判別する（ステップＳ５０２）。
【００４１】
ステップＳ５０２の判別の結果、設定がラジオボタン４０１でない場合、即ち、複合機能装置３０ａにおいて機器情報の変更があった際に、自動的に機器情報の設定を行う設定でない場合には、本処理を終了する一方、設定がラジオボタン４０１である場合、即ち、複合機能装置３０ａにおいて機器情報の変更があった際に、自動的に機器情報の設定を行う設定である場合には、上述したステップＳ３０２の処理を行う。以降の処理は、上述したステップＳ３０３〜ステップＳ３０７の処理、即ち登録されている設定先の全複合機能装置に対して、機器情報の種類で指定された機器情報を設定する処理と同様であるため、その説明は省略する。
【００４２】
以上の処理が、機器情報の共有機能を有する複合機能装置システムにおいて、他の複合機能装置に対する設定タイミングを指定する場合の動作である。
【００４３】
図６は、複合機能装置３０ａにおける機器情報の変更内容を他の複合機能装置に対して設定するためのタイミングを決める際のＷｅｂブラウザ２２の他の表示例を示す図である。
【００４４】
パーソナルコンピュータ２０内のＷｅｂブラウザ２２の立ち上げ命令が実行されると、パーソナルコンピュータ２０はＷｅｂブラウザ２２を起動する。ここで、複合機能装置３０ａにおけるＷｅｂサービス３２のアドレス（例えば、ｈｔｔｐ：／／ｐｒｉｎｔｅｒ１／ＷｅｂＳｅｒｖｉｃｅ２／）が指定されると、パーソナルコンピュータ２０の図示しないモニターに図６で示す画面が表示される。
【００４５】
同図において、符号６０１〜６０４は、複合機能装置３０ａにおいて機器情報に変更があった際に、変更内容をどのようなタイミングで他の複合機能装置に対して設定するかを設定するコントロール群であり、前記図４におけるコントロール群４０１〜４０４と同様であるため、その説明を省略する。
【００４６】
符号６０２は、変更があった場合に他の複合機能装置に対して通知だけを行う処理のラジオボタンである。
【００４７】
次に、符号６０５は、「ブロードキャスト」と「指定する」の項目を選択するラジオボタンであり、上記コントロール群６０１〜６０４のうちでコントロール６０２が選択された場合の通知先となる複合機能装置の指定方法を選択する。上記ラジオボタン６０５において「ブロードキャスト」の項目が選択された場合は、通知する先を限定せずブロードキャストによって通知を行う。これに対して、ラジオボタン６０５において「指定する」の項目が選択された場合に通知先を設定するコントロール群が符号６０６〜６０９であり、これらは、上記図２のコントロール群２０１〜２０４と同様であるため、その説明を省略するが、最終的にリストボックス６０８に通知先の複合機能装置が設定される。
【００４８】
次に、符号６１０〜６１２は、他の複合機能装置において、前記ラジオボタン６０２が選択され、通知処理が行われ、複合機能装置３０ａがその通知先になった場合に通知を受け取った際の処理を示すコントロール群である。
【００４９】
符号６１０は、通知を受け取った場合に、自動的に通知元の複合機能装置に対して機器情報を取得し自装置に反映させる処理を行うラジオボタンである。
【００５０】
符号６１１は、通知を受け取った場合に、パネル操作等に機器情報を取得し反映するかを選択させる確認メッセージを表示し、その確認後に、通知元の複合機能装置の機器情報を取得し、自装置に反映させる処理を行うラジオボタンである。
【００５１】
符号６１２は、通知を受け取っても機器情報の取得や反映を行わないラジオボタンである。
【００５２】
これらのコントロール群６０１〜６１２のいずれかの設定を行い、設定ボタン６１３を押下することにより、現在表示されている情報が複合機能装置３０ａのＷｅｂサービス３２に送信される。これら情報はＷｅｂサービス３２が取得し、制御部３６を経由して情報記憶部３７に更新保持される。
【００５３】
このように、本Ｗｅｂサービスを用いると、機器情報の変更時の通知処理や他の複合機能装置での機器情報変更における通知を受け取った場合の対応を設定することが可能となる。
【００５４】
但し、上述した図６に示すＷｅｂブラウザ２２での設定方法はあくまで例であり、特に限定するものではない。
【００５５】
また、これらの設定は、複合機能装置３０ａ内のパネル操作部３５から単独操作を行っても同様の情報設定を実現することができる。
【００５６】
図７は、機器情報の共有機能を有する複合機能装置システムに対して、機器情報の変更があった場合に、複合機能装置３０ａが他の複合機能装置に対する機器情報の変更通知を行う処理を示すフローチャートである。
【００５７】
但し、Ｗｅｂサービス３２による機器情報の変更通知に関する各設定に関しては、上記図６で説明したので、その説明は省略する。
【００５８】
まず、ステップＳ７０１において、複合機能装置３０ａの制御部３６によって、機器情報が何らかの設定処理によって変更されたか否かが判別される。
【００５９】
ステップＳ７０１の判別の結果、機器情報が何らかの設定処理によって変更されていない場合には、本処理を終了する一方、機器情報が何らかの設定処理によって変更された場合には、上記図６で図示したコントロール群６０１〜６０４において、制御部３６によって、ラジオボタン６０２（機器情報の変更によって通知を行う設定）が選択されているかを判別する（ステップＳ７０２）。
【００６０】
ステップＳ７０２の判別の結果、ラジオボタン６０２（機器情報の変更によって通知を行う設定）が選択されていない場合には、本処理を終了する一方、ラジオボタン６０２（機器情報の変更によって通知を行う設定）が選択されている場合には、制御部３６により、上記図６で示したラジオボタン６０５の選択が「ブロードキャスト」であるか又は「指定する」であるかを判別する（ステップＳ７０３）。
【００６１】
ステップＳ７０２の判別の結果、ラジオボタン６０５の選択が「ブロードキャスト」である場合には、ＬＡＮ１０上の他の複合機能装置に対して機器情報に変更があった旨をブロードキャストによって通知し（ステップＳ７０４）、本処理を終了する。
【００６２】
ステップＳ７０２の判別の結果、ラジオボタン６０５の選択が「指定する」である場合には、上記図６で示したリストボックス６０８に登録されている通知先となる複合機能装置の総数Ｎを取得し（ステップＳ７０５）、ループ変数Ｃを１に初期化する（ステップＳ７０６）。
【００６３】
次いで、制御部３６は、ループ変数Ｃの値が通知先の複合機能装置の総数Ｎ以下の値であるか否かを判別し（ステップＳ７０７）、ループ変数Ｃの値が通知先の複合機能装置の総数Ｎ以下の値である場合には、ループ変数Ｃの値を１増やす処理を行い（ステップＳ７０８）、Ｃ番目の通知先複合機能装置に対して、機器情報が変更されたことを通知し（ステップＳ７０９）、ステップＳ７０７に戻り、次の通知先複合機能装置に対してループ処理（ステップＳ７０７〜ステップＳ７０９までの処理）を行う。
【００６４】
ステップＳ７０７の判別の結果、ループ変数Ｃの値が通知先の複合機能装置の総数Ｎの値よりも大きい場合には、本処理を終了する。
【００６５】
以上の処理が、機器情報の共有機能を有する複合機能装置システムにおいて、機器情報の変更があった場合に他の複合機能装置に対する機器情報の変更通知を行う場合の動作である。
【００６６】
尚、複合機能装置３０ａが機器情報の変更通知を受け取った場合の処理については、図６にて示したコントロール群６１０〜６１２の設定に従って処理をする。
【００６７】
上述したように、本実施の形態によれば、複合機能装置のそれぞれは、該複合機能装置に設定された機器情報を反映させる反映先の複合機能装置を指定し、この指定された反映先の複合機能装置に機器情報を送信するので、反映先の複合機能装置はこの送信された機器情報を反映することができ、また、複合機能装置が別の複合機能装置から送信された機器情報を受信し、この受信した機器情報を複合機能装置に反映するので、複合機能装置が導入された際に、既に導入されている複合機能装置の機器情報を、該導入された複合機能装置に設定することができ、導入時の煩わしい設定処理を軽減することができる。
【００６８】
本発明は、上述した実施の形態の機能を実現するソフトウェアのプログラムをコンピュータ又は制御部（具体的にはＣＰＵ）に供給し、そのコンピュータ又はＣＰＵが該供給されたプログラムを読出して実行することによっても本発明の目的が達成されることは云うまでもない。
【００６９】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００７０】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００７１】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００７２】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００７３】
本発明の実施態様の例を以下に列挙する。
【００７４】
〔実施態様１〕  複数の複合機能装置が互いにネットワークを介して接続される複合機能装置システムにおいて、前記複合機能装置のそれぞれは、該複合機能装置に設定された機器情報を反映させる反映先の複合機能装置を指定する第１反映先指定手段（Ｗｅｂサービス３２及び制御部３６）と、前記反映先指定手段により指定された反映先の複合機能装置に前記機器情報を送信する機器情報送信手段（情報送信部３４）と、前記複合機能装置とは別の複合機能装置から送信された機器情報を受信する機器情報受信手段（情報受信部３２）と、前記機器情報受信手段により受信した機器情報を前記複合機能装置に反映する機器情報反映手段（制御部３６及び情報記憶部３７）とを備えることを特徴とする複合機能装置システム。
【００７５】
〔実施態様２〕  前記ネットワークは、インターネット又はローカルエリアネットワークであることを特徴とする実施態様１記載の複合機能装置システム。
【００７６】
〔実施態様３〕  前記複合機能装置システムは、前記複数の複合機能装置のそれぞれと機器情報の通信を行う情報処理装置（パーソナルコンピュータ２０）を備え、前記情報処理装置は、前記複合機能装置に設定された機器情報を反映させる反映先の複合機能装置を指定する第２反映先指定手段（Ｗｅｂブラウザ２２）と、前記反映先の複合機能装置に設定する機器情報の送信元の複合機能装置を指定する送信元指定手段（Ｗｅｂブラウザ２２）と、前記送信元の複合機能装置の機器情報を前記反映先の複合機能装置に設定する指示を行う設定指示手段（ＣＰＵ）とを備え、前記設定指示手段に設定された指示に従って、前記送信元の複合機能装置の機器情報が前記反映先の複合機能装置に送信されるように構成されていることを特徴とする実施態様１記載の複合機能装置システム。
【００７７】
この実施態様によれば、情報処理装置での設定指示により、送信元の複合機能装置の機器情報が反映先の複合機能装置に送信されるにように制御することができるので、複合機能装置が導入された際に、既に導入されている複合機能装置の機器情報を、該導入された複合機能装置に設定することができ、導入時の煩わしい設定処理を軽減することができる。
【００７８】
〔実施態様４〕  前記複合機能装置のそれぞれは、該複合機能装置の機器情報の変更を前記反映先の複合機能装置に反映する指示を行う反映指示手段（Ｗｅｂサービス３２及び制御部３６）を備え、前記反映指示手段により前記機器情報の変更を反映する指示がある場合には、前記機器情報送信手段により変更された機器情報を前記反映先の複合機能装置に送信し、前記反映先の複合機能装置は、前記機器情報受信手段を介して受信した前記変更された機器情報を前記機器情報反映手段により反映するように構成されていることを特徴とする実施態様１乃至３のいずれか１つの実施態様に記載の複合機能装置システム。
【００７９】
この実施態様によれば、機器情報の変更された部分のみを反映先の複合機能装置に反映させることができる。
【００８０】
〔実施態様５〕  前記複合機能装置のそれぞれは、前記機器情報の変更がされたか否かを判断する変更判断手段（Ｗｅｂサービス３２及び制御部３６）を備え、前記変更判断手段により前記機器情報の変更がされたと判断された場合には、前記機器情報送信手段により変更された機器情報を前記反映先の複合機能装置に送信し、前記反映先の複合機能装置は、前記機器情報受信手段を介して受信した前記変更された機器情報を前記機器情報反映手段により反映するように構成されていることを特徴とする実施態様１乃至４のいずれか１つの実施態様に記載の複合機能装置システム。
【００８１】
この実施態様によれば、機器情報の変更された部分のみを反映先の複合機能装置に反映させることができる。
【００８２】
〔実施態様６〕  前記複合機能装置のそれぞれは、前記変更判断手段により前記機器情報の変更がされたと判断された場合に、前記機器情報の変更がされた旨を前記ネットワークに接続される他の複合機能装置に対して通知するか否かを設定する通知設定手段（Ｗｅｂサービス３２及び制御部３６）と、前記通知設定手段において通知する設定がされている場合は、前記ネットワークに接続される他の複合機能装置に対して前記機器情報の変更がされた旨を通知する変更通知手段（情報送信部３４）とを備え、前記変更通知手段が前記ネットワークに接続される他の複合機能装置に対して前記機器情報の変更がされた旨を通知した場合は、通知元の複合機能装置の機器情報送信手段が変更された機器情報を前記ネットワークに接続される他の複合機能装置に対して送信し、前記ネットワークに接続される他の複合機能装置は、前記機器情報受信手段を介して受信した前記変更された機器情報を前記機器情報反映手段により反映するように構成されていることを特徴とする実施態様５に記載の複合機能装置システム。
【００８３】
この実施態様によれば、機器情報の変更された部分のみをネットワークに接続される他の複合機能装置の全てに反映させることができる。
【００８４】
〔実施態様７〕  前記複合機能装置のそれぞれは、前記機器情報の変更がされたか否かを判断する変更判断手段（Ｗｅｂサービス３２及び制御部３６）と、前記変更判断手段により前記機器情報の変更がされたと判断された場合に、前記機器情報の変更がされた旨を前記ネットワークに接続される他の複合機能装置に対して通知するか否かを設定する通知設定手段（Ｗｅｂサービス３２及び制御部３６）と、前記通知設定手段において通知する設定がされている場合は、前記ネットワークに接続される他の複合機能装置に対して前記機器情報の変更がされた旨を通知する変更通知手段（情報送信部３４）と、前記機器情報の変更がされた旨の通知を受け取った際に、変更された機器情報を取得するか否かを設定する取得設定手段（Ｗｅｂサービス３２及び制御部３６）と、前記変更された機器情報を取得した場合に、該変更された機器情報を反映するか否かを設定する変更機器情報反映設定手段（Ｗｅｂサービス３２及び制御部３６）とを備え、前記機器情報の変更がされた旨が通知された場合に、前記ネットワークに接続される他の複合機能装置は、前記取得設定手段と前記変更機器情報反映設定手段との設定に基づいて、前記変更された機器情報を反映することを特徴とする実施態様４に記載の複合機能装置システム。
【００８５】
この実施態様によれば、変更された機器情報の取得や変更された機器情報の反映の設定をユーザに委ねることができ、機器情報の変更された部分をネットワークに接続される他の複合機能装置を選択しつつ、反映させることができる。
【００８６】
〔実施態様８〕  複数の複合機能装置が互いにネットワークを介して接続される複合機能装置システムの制御方法において、前記複合機能装置のそれぞれは、該複合機能装置に設定された機器情報を反映させる反映先の複合機能装置を指定する第１反映先指定ステップと、前記反映先指定ステップにより指定された反映先の複合機能装置に前記機器情報を送信する機器情報送信ステップと、前記複合機能装置とは別の複合機能装置から送信された機器情報を受信する機器情報受信ステップと、前記機器情報受信ステップにより受信した機器情報を前記複合機能装置に反映する機器情報反映ステップとを備えることを特徴とする複合機能装置システムの制御方法。
【００８７】
〔実施態様９〕  複数の複合機能装置が互いにネットワークを介して接続される複合機能装置システムで使用されるプログラムにおいて、前記複合機能装置のそれぞれは、該複合機能装置に設定された機器情報を反映させる反映先の複合機能装置を指定する第１反映先指定ステップと、前記反映先指定ステップにより指定された反映先の複合機能装置に前記機器情報を送信する機器情報送信ステップと、前記複合機能装置とは別の複合機能装置から送信された機器情報を受信する機器情報受信ステップと、前記機器情報受信ステップにより受信した機器情報を前記複合機能装置に反映する機器情報反映ステップとを前記複合機能装置のそれぞれに実行させることを特徴とするプログラム。
【００８８】
【発明の効果】
以上説明したように、請求項１に記載の複合機能装置システムによれば、複合機能装置のそれぞれは、該複合機能装置に設定された機器情報を反映させる反映先の複合機能装置を指定し、この指定された反映先の複合機能装置に機器情報を送信するので、反映先の複合機能装置はこの送信された機器情報を反映することができ、また、複合機能装置が別の複合機能装置から送信された機器情報を受信し、この受信した機器情報を複合機能装置に反映するので、複合機能装置が導入された際に、既に導入されている複合機能装置の機器情報を、該導入された複合機能装置に設定することができ、導入時の煩わしい設定処理を軽減することができる。
【図面の簡単な説明】
【図１】本実施の形態に係る、機器情報の共有機能を有する複合機能装置システムを構成する複合機能装置及びパーソナルコンピュータの構成を示すブロック図である。
【図２】図１におけるパーソナルコンピュータ２０内のＷｅｂブラウザ２２を起動した際のＷｅｂブラウザ２２の表示例を示す図である。
【図３】機器情報の共有機能を有する複合機能装置システムに対して、他の複合機能装置に対する機器情報の設定指示があった場合の処理工程を示すフローチャートである。
【図４】複合機能装置３０ａにおける機器情報の変更内容を他の複合機能装置に対して設定するためのタイミングを決める際のＷｅｂブラウザ２２の表示例を示す図である。
【図５】機器情報の共有機能を有する複合機能装置システムに対して、他の複合機能装置に対する機器情報の設定タイミングの指定処理を示すフローチャートである。
【図６】複合機能装置３０ａにおける機器情報の変更内容を他の複合機能装置に対して設定するためのタイミングを決める際のＷｅｂブラウザ２２の他の表示例を示す図である。
【図７】機器情報の共有機能を有する複合機能装置システムに対して、機器情報の変更があった場合に、複合機能装置３０ａが他の複合機能装置に対する機器情報の変更通知を行う処理を示すフローチャートである。
【符号の説明】
１０  ローカルエリアネットワーク（ＬＡＮ）
２０  パーソナルコンピュータ
２１，３１  インターフェイス
２２  Ｗｅｂブラウザ
３０ａ，３０ｂ  複合機能装置
３２  Ｗｅｂサービス
３３  情報受信部
３４  情報送信部
３５  パネル操作部
３６  制御部
３７  情報記憶部
３８  メモリ
３９  リーダ部
４０  ファクス部
４１  印刷部
【図１】
2004153639.tif 000003
【図２】
2004153639.tif 000004
【図３】
2004153639.tif 000005
【図４】
2004153639.tif 000006
【図５】
2004153639.tif 000007
【図６】
2004153639.tif 000008
【図７】
2004153639.tif 000009